(57)【特許請求の範囲】
【請求項１】
前面が開口して内部に貯蔵室を有する断熱本体と、この断熱本体の開口を開閉自在に閉塞する透視可能な扉とを備えた冷却ケースにおいて、前記断熱本体の両側内側壁にはこの内側壁と間隔を隔てた熱伝導性の良好な材質からなる冷気誘導板を設け、この冷気誘導板の背面側と前記断熱本体の内背面壁と前記断熱本体の内側壁とで囲まれた空間に間接照明用の照明装置を設けたことを特徴とする冷却ケース。
【請求項２】
前面が開口して内部に貯蔵室を有する断熱本体と、この断熱本体の開口を開閉自在に閉塞する透視可能な扉とを備えた冷却ケースにおいて、前記断熱本体の貯蔵室の下側に冷却器を設け、この冷却器を覆うカバーを設け、この冷却器を覆うカバーの一方に吐出口を、他方に吸込口を設け、このカバーの吐出口と吸込口とにそれぞれ連通する冷気誘導板を前記断熱本体の両側内側壁に設け、この冷気誘導板の背面側と前記断熱本体の内背面壁と前記断熱本体の内側壁とで囲まれた空間に間接照明用の照明装置を設けたことを特徴とする冷却ケース。
【請求項３】
前記両側内側壁に設けた冷気誘導板に連通する冷気誘導板を天面に設けたことを特徴とする請求項２記載の冷却ケース。
【請求項４】
前記両側内側壁に照明装置の収納された空間に冷気を導入するようにしたことを特徴とする請求項１及び請求項２記載の冷却ケース。
【請求項５】
前記天面に設けた冷気誘導板に貯蔵室内に冷気を流入させる流入口を設けたことを特徴とする請求項３記載の冷却ケース。
【発明の詳細な説明】
【０００１】
【発明の属する技術分野】
本発明は、商品陳列棚に陳列された商品を間接的に照らす照明装置を備えた冷却ケースに関する。
【０００２】
【従来の技術】
一般に、低温ケースには、庫内に陳列された商品を照らすために蛍光灯等の照明器が設けられている。
【０００３】
従来、低温ケースの照明器は、例えば貯蔵室の両側部、貯蔵室の天井部、商品陳列棚の下側、センターピラーの裏側等に取り付けられ、商品は前方から照らされる。
【０００４】
【発明が解決しようとする課題】
しかしながら、上述した冷却ケースでは、庫内の商品に直接光を当てることにより商品が照明されるので、照明による商品の演出効果が出せないと共に、照明の近傍の温度が上昇して庫内の温度バラツキが大きくなる等の問題があった。
【０００５】
本発明は上記の問題を解決するもので、陳列棚に陳列された商品を間接的に照らして商品の演出効果を高めると共に、照明装置による発熱が貯蔵室内に影響しないようにする冷却ケースを提供することを目的とするものである。
【０００６】
【課題を解決するための手段】
本発明の請求項１は、前面が開口して内部に貯蔵室を有する断熱本体と、この断熱本体の開口を開閉自在に閉塞する透視可能な扉とを備えた冷却ケースにおいて、前記断熱本体の両側内側壁にこの内側壁と間隔を隔てた熱伝導性の良好な材質からなる冷気誘導板を設け、この冷気誘導板の背面側と前記断熱本体の内背面壁と前記断熱本体の内側壁とで囲まれた空間に間接照明用の照明装置を設け、前記間接照明用の照明装置で発生する熱を冷気誘導板で冷却して貯蔵室内の温度バラツキを抑えるようにしている。
【０００７】
本発明の請求項２は、前面が開口して内部に貯蔵室を有する断熱本体と、この断熱本体の開口を開閉自在に閉塞する透視可能な扉とを備えた冷却ケースにおいて、前記断熱本体の貯蔵室の下側に冷却器を設け、この冷却器を覆うカバーを設け、この冷却器を覆うカバーの一方に吐出口を、他方に吸込口を設け、このカバーの吐出口と吸込口とにそれぞれ連通する冷気誘導板を前記断熱本体の両側内側壁に設け、かつ、この冷気誘導板の背面側と前記断熱本体の内背面壁と前記断熱本体の内側壁とで囲まれた空間に間接照明用の照明装置を設け、前記両側内側壁の冷気誘導板内を冷却器で冷却された冷気が循環するようにして間接照明用の照明装置で発生する熱を冷気誘導板で冷却して貯蔵室内の温度バラツキを抑えるようにしている。
【０００８】
本発明の請求項３は、前記両側内側壁に設けた冷気誘導板に連通する冷気誘導板を天面に設け、前記両側内側壁と天面の連通して設けた冷気誘導板で冷気の循環を安定できるようにしている。
【０００９】
本発明の請求項４は、前記両側内側壁に照明装置の収納された空間に冷気を導入するようにし、前記照明装置で発生する熱を効果的に冷却し貯蔵室内の温度のバラツキを小さくすることができるようにしている。
【００１０】
本発明の請求項５は、前記天面に設けた冷気誘導板に貯蔵室内に冷気を流入させる流入口を設け、高さを高くすると共に、前後の奥行き寸法を小さくした断熱本体の場合に天面の冷気誘導板から冷気を吹き出すことで貯蔵室内の温度のバラツキを小さくすることができるようにしている。
【００１１】
【発明の実施の形態】
以下、本発明の一実施形態を図面に基づいて説明する。図１は本発明の冷却ケースの正面図、図２は図１のII−II線に沿って切断した冷却ケースの側面断面図、図３は図１のIII−III線に沿って切断した平面断面図、図４は図２のＶ−Ｖ線に沿って切断した正面断面図である。
【００１２】
１は冷却ケースで、この冷却ケースは前面を開口２し、かつ、内部に貯蔵室３を有する断熱本体４と、この断熱本体の前面開口２を開閉自在に閉塞する透視可能なスライド扉５とで構成されている。断熱本体４の下部には、機械室６が形成され、この機械室には、圧縮機７、凝縮器８等が収納されている。機械室６の上方には冷却室９が形成され、この冷却室には冷却器１０、送風機１１が収納されている。冷却室９の上方には貯蔵室３と区画する仕切カバー１２が設けられている。スライド扉５は二重ガラスで形成され、内部に格子状の枠５Ａが設けられている。この枠は二重のガラスに挟持され内部商品の飛び出さないようにしている。
【００１３】
前記圧縮機７、凝縮器８、冷却器１０等は冷媒配管で接続され、冷凍サイクルを構成している。すなわち、圧縮機７から吐出されたガス冷媒は凝縮器８で凝縮して液冷媒に変化し、この液冷媒は冷却器１０で気化してこの冷却器の周囲の空気を冷却し、この冷却空気で貯蔵室３を冷却している。
【００１４】
貯蔵室３の両側内側壁には、上下方向に延びて内部に冷気通路１３Ａ、１４Ａを有する冷気誘導板１３、１４が設けられ、一方の冷気誘導板１３は冷却室９の吐出口１５に連通し、他方の冷気誘導板１４は冷却室９の吸込口１６に連通している。冷気誘導板１３、１４の上端には天面に取り付けられて吐出口１５に連通された冷気誘導板１３側から吸込口１６に連通された冷気誘導板１４側に冷気を循環させる冷気通路１７Ａを有する冷気誘導板１７が設けられている。冷気誘導板１３、１４、１７は熱伝導性の良好な材質で形成され、かつ、天面に設けられた冷気誘導板１７には貯蔵室３内に冷気を降下させる複数の吹出口１８が形成されている。
【００１５】
１９は棚受け支柱で、この棚受け支柱は断面略コ字状に形成され、内背壁側に開口２０が形成されている。また、棚受け支柱１９の側面には、複数の取り付け孔２１が形成され、この取り付け孔には、棚受け２２が係止される。この棚受けには棚板２３が配置され、この棚板の上には商品が随時陳列される。
【００１６】
また、棚受け支柱１９は、内部に蛍光灯等の照明装置２４を配置すると共に、冷気誘導板１３、１４の背面側と断熱本体４の内背面壁２５とこの断熱本体の内側壁２６、２７とで囲まれた空間２８に収納されている。冷気誘導板１３、１４の背面側と棚受け支柱１９との間には冷気を通す孔２９が設けられている。
【００１７】
断熱本体４の内背面壁には波形の装飾板３０が設けられている。
【００１８】
このように構成された冷却ケースにおいて、機械室６内の圧縮機７の運転によって冷却室９内の冷却器１０で空気を冷却し、この冷却された空気を送風機１１で仕切カバー１２の吐出口１５から冷気誘導板１３の冷気通路１３Ａ内に導き天面の冷気誘導板１７の冷気通路１７Ａを通り、冷気誘導板１４の冷気通路１４Ａから仕切カバー１２の吸込口１６を介して冷却室９内に戻り、熱伝導性の良好な冷気誘導板１３、１４、１７で貯蔵室３を冷却すると共に、天面に設けられた冷気誘導板１７の吹出口１８から降下する冷気で貯蔵室３内を効果的に冷却するようにしている。
【００１９】
冷気誘導板１３、１４、１７はスライド扉５と内部に照明装置２４を有する棚受け支柱１９との間に設けることにより、冷気通路１３Ａ，１４Ａ，１７Ａを循環する冷気で照明装置２４から発生して上昇する熱を攪拌することがなく、貯蔵室３内の温度バラツキを小さくできるようにしている。更に、天面に設けた冷気誘導板１７は吹出口１８から貯蔵室３内に降下する冷気で照明装置２４から発生する熱をブロックするので、特に棚板２３に陳列されている商品部分の温度バラツキを抑えることができるようにしている。
【００２０】
また、断熱本体４の貯蔵室３内の背面には吹出口がなく、温度差が発生しないので、装飾板３０に露が付着することがなく、間接照明と相俟ってライトアップ効果を向上できるようにしている。
【００２１】
照明装置２４を内蔵した棚受け支柱１９は冷気誘導板１３、１４の裏側に配置されていることにより、照明装置２４が直接ユーザーから見えないようにでき、間接照明効果をより向上させられ、商品の演出効果を高めることができるようにしている。また、照明装置２４の光が貯蔵室３の側方から波板の装飾板３０の前面に向けて照射され、この装飾板に陰影が形成されるので、独特の雰囲気がかもし出される。特に、貯蔵室３に陳列された商品が例えば瓶入り飲料や透明・半透明の商品である場合には、商品の演出効果がより高くなる。
【００２２】
照明装置２４は冷気誘導板１３、１４の背面側と棚受け支柱１９との間には冷気を通す孔２９を設けることにより、冷気誘導板１３、１４から冷気を棚受け支柱１９内に導いて照明装置２４で発生する熱を冷却して貯蔵室３内の温度のバラツキを解消できるようにしている。
【００２３】
【発明の効果】
本発明の請求項１によれば、前面が開口して内部に貯蔵室を有する断熱本体と、この断熱本体の開口を開閉自在に閉塞する透視可能な扉とを備えた冷却ケースにおいて、前記断熱本体の両側内側壁にこの内側壁と間隔を隔てた熱伝導性の良好な材質からなる冷気誘導板を設け、この冷気誘導板の背面側と前記断熱本体の内背面壁と前記断熱本体の内側壁とで囲まれた空間に間接照明用の照明装置を設けたので、前記間接照明用の照明装置で発生する熱を冷気誘導板で冷却して貯蔵室内の温度バラツキを抑えられるようにできる。
【００２４】
本発明の請求項２によれば、前面が開口して内部に貯蔵室を有する断熱本体と、この断熱本体の開口を開閉自在に閉塞する透視可能な扉とを備えた冷却ケースにおいて、前記断熱本体の貯蔵室の下側に冷却器を設け、この冷却器を覆うカバーを設け、この冷却器を覆うカバーの一方に吐出口を、他方に吸込口を設け、このカバーの吐出口と吸込口とにそれぞれ連通する冷気誘導板を前記断熱本体の両側内側壁に設け、かつ、この冷気誘導板の背面側と前記断熱本体の内背面壁と前記断熱本体の内側壁とで囲まれた空間に間接照明用の照明装置を設けたので、前記両側内側壁の冷気誘導板内を冷却器で冷却された冷気が循環するようにして間接照明用の照明装置で発生する熱を冷気誘導板で冷却して貯蔵室内の温度バラツキを抑えられるようにできる。
【００２５】
本発明の請求項３によれば、前記両側内側壁に設けた冷気誘導板に連通する冷気誘導板を天面に設けたので、前記両側内側壁と天面の連通して設けた冷気誘導板で冷気の循環を安定化できる。
【００２６】
本発明の請求項４によれば、前記両側内側壁に照明装置の収納された空間に冷気を導入するようにしたので、前記照明装置で発生する熱を効果的に冷却し貯蔵室内の温度のバラツキを小さくすることができる。
【００２７】
本発明の請求項５によれば、前記天面に設けた冷気誘導板に貯蔵室内に冷気を流入させる流入口を設けたので、高さを高くすると共に、前後の奥行き寸法を小さくした断熱本体の場合に天面の冷気誘導板から冷気を吹き出すことで貯蔵室内の温度のバラツキを小さくすることができる。
【図面の簡単な説明】
【図１】本発明の冷却ケースの正面図である。
【図２】本発明の図１のII−II線に沿って切断した冷却ケースの側面断面図である。
【図３】本発明の図１のIII−III線に沿って切断した冷却ケースの平面断面図である。
【図４】本発明の図２のＶ−Ｖ線に沿って切断した冷却ケースの正面断面図である。
【符号の説明】
１  冷却ケース
２  前面開口
３  貯蔵室
４  断熱本体
５  扉
１０  冷却器
１２  仕切カバー
１３、１４、１７  冷気誘導板
１５  吐出口
１６  吸込口
１８  吹出口
１９  棚受け支柱
２４  照明装置
２８  空間
【図１】
0004236332.tif 000002
【図２】
0004236332.tif 000003
【図３】
0004236332.tif 000004
【図４】
0004236332.tif 000005